(57)【要約】【課題】悪戯により支柱から取り外されることを防ぐことが可能な支柱カバーを提供する。【解決手段】本発明の第１支柱カバー１１を構成する１対の半筒状カバー体２０，２１を、間に支柱８１を配置した状態で合体させると、ロックアーム２５とロック係合リブ３５とが係合する。そして、ロックアーム２５がロック解除規制壁３２によって外側から覆われ、ロック解除操作が規制される。しかも、ロックアーム２５は上下に複数並べられているので、特殊な形状の第１ロック解除工具９０を有しない部外者は、悪戯に第１支柱カバー１１を支柱８１から取り外すことができなくなる。【選択図】図１
2018028197.tif 000002
【特許請求の範囲】
【請求項１】
１対の半筒状カバー体に分割可能な筒形構造をなして、支柱に側方から装着可能な支柱カバーにおいて、
一方の前記半筒状カバー体に設けられたロック係合部と、
他方の前記半筒状カバー体に設けられ、前記半筒状カバー体同士を合体する過程で弾性変形した後、弾性復帰して前記ロック係合部に係合し、前記半筒状カバー体同士を合体状態にロックするロックアームと、
一方又は他方の前記半筒状カバー体に設けられて前記ロックアームを外側から覆い、前記ロックアームに対するロック解除操作を規制するロック解除規制壁とを備える支柱カバー。
【請求項２】
前記ロック解除規制壁の内側に設けられて、前記半筒状カバー体同士の合体方向又は上方又は下方に開口する工具受容口を有するか、又は、前記ロック解除規制壁に穿孔されて前記ロック解除規制壁の外面に開口する工具受容口を有し、前記ロック解除操作を行うための工具の挿入を許容する工具受容部を備える請求項１に記載の支柱カバー。
【請求項３】
前記ロックアームは、上下に複数並べられている請求項２に記載の支柱カバー。
【請求項４】
前記ロックアームは、前記他方の半筒状カバー体から前記一方の半筒状カバー体に向かって延びかつその先端部から外側に突出するロック突部を有し、
前記ロック解除規制壁は、前記一方の半筒状カバー体に設けられ、そのロック解除規制壁の内面に前記ロック係合部が形成されている請求項２又は３に記載の支柱カバー。
【請求項５】
前記ロック係合部は、前記ロックアームの長手方向に延び、前記ロックアームの幅方向の２箇所に摺接して前記ロックアームを弾性変形させかつ、端部が前記ロック突部と係合する１対の摺接リブで構成され、
前記１対の摺接リブと前記ロック解除規制壁と前記ロックアームとに囲まれた部位が、前記ロックアームの基端側に開口する前記工具受容口を有する前記工具受容部になっている請求項４に記載の支柱カバー。
【請求項６】
前記一方の半筒状カバー体から前記他方の半筒状カバー体に向かって延びるガイドバーと、
前記他方の半筒状カバー体に設けられ、前記ガイドバーが挿入されるガイド挿入部とが備えられている請求項１乃至５のいずれか１の請求項に記載の支柱カバー。
【請求項７】
下端部の外径が上端部の外径より大きい下面開放の筒状をなし、前記支柱の周囲の地面に対する日光を遮蔽するスカート部と、
前記スカート部から上方に延び、前記スカート部の下端部より外径が小さい略円筒状の円筒胴体部と、
前記円筒胴体部の上端部の内径を絞ってなる上端ネック部と、
前記円筒胴体部に穿孔された通気孔とを備えた請求項１乃至６のいずれか１の請求項に記載の支柱カバー。
【請求項８】
前記円筒胴体部の下端部の内径を絞ってなる下端ネック部と、
前記下端ネック部のうち周方向で前記通気孔からずれた位置に形成され、前記下端ネック部の内周面の一部を上下に横切る連通溝とを備える請求項７に記載の支柱カバー。
【請求項９】
前記円筒胴体部には、前記下端ネック部から上方に向かって徐々に拡径する上向拡径部が備えられ、前記通気孔は、前記上向拡径部を水平に貫通している請求項８に記載の支柱カバー。
【請求項１０】
前記支柱の外側に嵌合され、前記円筒胴体部に上方から重ねられる追加スリーブが備えられ、
前記追加スリーブは、１対の半筒状カバー体に分割可能であると共に、前記ロック係合部と前記ロックアームと前記ロック解除規制壁とを備える請求項２に記載の支柱カバー。
【請求項１１】
前記追加スリーブの下端部が、前記円筒胴体部の外側に嵌合される請求項１０に記載の支柱カバー。
【発明の詳細な説明】
【技術分野】
【０００１】
本発明は、１対の半筒状カバー体に分割可能な筒形構造をなして、支柱に側方から装着可能な支柱カバーに関する。
【背景技術】
【０００２】
従来、この種の支柱カバーとして、一方の半筒状カバー体に備えた片持ち梁状のロックアームが、他方の半筒状カバー体に設けられたロック係合部に係合して半筒状カバー体同士が合体した状態にロックされるものが知られている（例えば、特許文献１参照）。
【先行技術文献】
【特許文献】
【０００３】
【特許文献１】特開２００３−３４２９２７号公報（図１，図２）
【発明の概要】
【発明が解決しようとする課題】
【０００４】
しかしながら、上記した従来の支柱カバーでは、支柱に装着された状態で悪戯によりロックが解除されて、支柱カバーが路上に放置される虞があった。
【０００５】
本発明は、上記事情に鑑みてなされたもので、悪戯により支柱から取り外されることを防ぐことが可能な支柱カバーの提供を目的とする。
【課題を解決するための手段】
【０００６】
上記目的を達成するためになされた請求項１の発明は、１対の半筒状カバー体に分割可能な筒形構造をなして、支柱に側方から装着可能な支柱カバーにおいて、一方の前記半筒状カバー体に設けられたロック係合部と、他方の前記半筒状カバー体に設けられ、前記半筒状カバー体同士を合体する過程で弾性変形した後、弾性復帰して前記ロック係合部に係合し、前記半筒状カバー体同士を合体状態にロックするロックアームと、一方又は他方の前記半筒状カバー体に設けられて前記ロックアームを外側から覆い、前記ロックアームに対するロック解除操作を規制するロック解除規制壁とを備える支柱カバーである。
【０００７】
請求項２の発明は、前記ロック解除規制壁の内側に設けられて、前記半筒状カバー体同士の合体方向又は上方又は下方に開口する工具受容口を有するか、又は、前記ロック解除規制壁に穿孔されて前記ロック解除規制壁の外面に開口する工具受容口を有し、前記ロック解除操作を行うための工具の挿入を許容する工具受容部を備える請求項１に記載の支柱カバーである。
【０００８】
請求項３の発明は、前記ロックアームは、上下に複数並べられている請求項２に記載の支柱カバーである。
【０００９】
請求項４の発明は、前記ロックアームは、前記他方の半筒状カバー体から前記一方の半筒状カバー体に向かって延びかつその先端部から外側に突出するロック突部を有し、前記ロック解除規制壁は、前記一方の半筒状カバー体に設けられ、そのロック解除規制壁の内面に前記ロック係合部が形成されている請求項２又は３に記載の支柱カバーである。
【００１０】
請求項５の発明は、前記ロック係合部は、前記ロックアームの長手方向に延び、前記ロックアームの幅方向の２箇所に摺接して前記ロックアームを弾性変形させかつ、端部が前記ロック突部と係合する１対の摺接リブで構成され、前記１対の摺接リブと前記ロック解除規制壁と前記ロックアームとに囲まれた部位が、前記ロックアームの基端側に開口する前記工具受容口を有する前記工具受容部になっている請求項４に記載の支柱カバーである。
【００１１】
請求項６の発明は、前記一方の半筒状カバー体から前記他方の半筒状カバー体に向かって延びるガイドバーと、前記他方の半筒状カバー体に設けられ、前記ガイドバーが挿入されるガイド挿入部とが備えられている請求項１乃至５のいずれか１の請求項に記載の支柱カバーである。
【００１２】
請求項７の発明は、下端部の外径が上端部の外径より大きい下面開放の筒状をなし、前記支柱の周囲の地面に対する日光を遮蔽するスカート部と、前記スカート部から上方に延び、前記スカート部の下端部より外径が小さい略円筒状の円筒胴体部と、前記円筒胴体部の上端部の内径を絞ってなる上端ネック部と、前記円筒胴体部に穿孔された通気孔とを備えた請求項１乃至６のいずれか１の請求項に記載の支柱カバーである。
【００１３】
請求項８の発明は、前記円筒胴体部の下端部の内径を絞ってなる下端ネック部と、前記下端ネック部のうち周方向で前記通気孔からずれた位置に形成され、前記下端ネック部の内周面の一部を上下に横切る連通溝とを備える請求項７に記載の支柱カバーである。
【００１４】
請求項９の発明は、前記円筒胴体部には、前記下端ネック部から上方に向かって徐々に拡径する上向拡径部が備えられ、前記通気孔は、前記上向拡径部を水平に貫通している請求項８に記載の支柱カバーである。
【００１５】
請求項１０の発明は、前記支柱の外側に嵌合され、前記円筒胴体部に上方から重ねられる追加スリーブが備えられ、前記追加スリーブは、１対の半筒状カバー体に分割可能であると共に、前記ロック係合部と前記ロックアームと前記ロック解除規制壁とを備える請求項２に記載の支柱カバーである。
【００１６】
請求項１１の発明は、前記追加スリーブの下端部が、前記円筒胴体部の外側に嵌合される請求項１０に記載の支柱カバーである。
【発明の効果】
【００１７】
［請求項１の発明］
請求項１の支柱カバーでは、両方の半筒状カバー体を合体すると、その過程でロックアームが弾性変形した後、弾性復帰してロック係合部に係合し、半筒状カバー体同士が合体状態にロックされる。即ち、本発明の支柱カバーは、容易に支柱に装着することができる。そして、半筒状カバー体同士が合体状態にロックされると、ロック解除規制壁が、ロックアームを外側から覆い、ロックアームに対するロック解除操作を規制するので、悪戯により支柱カバーが支柱から取り外されることを防ぐことができる。
【００１８】
［請求項２及び４の発明］
請求項２及び４の支柱カバーでは、工具受容部にロック解除操作を行うための工具を挿入することで支柱カバーを支柱から容易に取り外すことができる。つまり、本発明の支柱カバーは、工具受容部の存在を知る関係者であれば、工具を用いて支柱から容易に取り外すことができ、支柱カバーの交換等を容易に行うことができる。
【００１９】
［請求項３の発明］
請求項３の支柱カバーでは、ロックアームは、上下に複数並べられているから、複数のロックアームを同時に操作するための特殊な工具があれば、支柱から容易に外すことができる。つまり、特殊な工具を有しない部外者が支柱カバーを支柱から取り外すことを確実に防ぐことができる。
【００２０】
［請求項５の発明］
請求項５の支柱カバーでは、１対の摺接リブの間に工具を挿入し、ロック解除規制壁における工具受容口の開口縁を支点にした梃子の原理を利用して工具の先端でロックアームの先端部をロック解除規制壁から離間させるように押し下げることでロック解除を行うことができる。
【００２１】
［請求項６の発明］
請求項６の支柱カバーでは、ガイドバーとガイド挿入部との案内により、１対の半筒状カバー体をスムーズに合体させることができる。
【００２２】
［請求項７の発明］
請求項７の支柱カバーでは、スカート部により支柱の周囲の地面に対する日光を遮蔽するので、支柱の周囲に雑草が生えることを防ぐことができる。ここで、スカート部から上方には、円筒胴体部が延びかつ、その上端部が上端ネック部となって絞られると共に、円筒胴体部に通気孔が形成されている。これにより、通気孔からスカート部内への光の差し込みを抑えつつ、通気孔を通してスカート部内の湿気を外部に排出して、支柱の腐食を防ぐことができる。即ち、本発明の支柱カバーによれば、除草のための遮光性と腐食防止のための通気性の両方を確保することができる。
【００２３】
［請求項８の発明］
請求項８の支柱カバーは、円筒胴体部の下端部の内径を絞ってなる下端ネック部を備えているので、スカート部内の遮光性が高くなる。しかも、その下端ネック部を連通溝が上下に横切っているので通気性を確保することができる。
【００２４】
［請求項９の発明］
請求項９の支柱カバーは、下端ネック部から上方に向かって徐々に拡径する上向拡径部を備え、そこに通気孔が形成されているのでスカート部内の遮光性がより高くなる。
【００２５】
［請求項１０の発明］
請求項１０の支柱カバーでは、円筒胴体部に上方に追加スリーブを上乗せすることで、支柱のうち支柱カバーによって覆われる部分を適宜、増やすことができる。また、追加スリーブのロックアームもロック解除規制壁によって覆われるので、悪戯に追加スリーブが支柱から外されることを防ぐことができる。
【００２６】
［請求項１１の発明］
請求項１１の支柱カバーでは、追加スリーブの下端部が、円筒胴体部の外側に嵌合されるので、追加スリーブと円筒胴体部との一体感が増すと共に、支柱と円筒胴体部との隙間が追加スリーブよって覆われてスカート部内への犬の尿の浸入を規制することができる。
【図面の簡単な説明】
【００２７】
【図１】本発明の第１実施形態に係る第１と第２の支柱カバーの斜視図
【図２】第１と第２の支柱カバーを積み上げた状態の斜視図
【図３】第１と第２の支柱カバーの側断面図
【図４】第１支柱カバーの分解斜視図
【図５】第１支柱カバーのロック機構部分の平断面図
【図６】第１支柱カバーのロック機構部分の平断面図
【図７】第１ロック解除工具の斜視図
【図８】第１支柱カバーと第１ロック解除工具の斜視図
【図９】第２支柱カバーの分解斜視図
【図１０】第２支柱カバーの側面図
【図１１】第２支柱カバーのロック機構部分の平断面図
【図１２】第２支柱カバーのロック機構部分の平断面図
【図１３】第２ロック解除工具の斜視図
【図１４】第２支柱カバーと第２ロック解除工具の斜視図
【図１５】第１支柱カバーの使用状態の斜視図
【図１６】第１と第２の支柱カバーの使用状態の斜視図
【図１７】第１と第２の支柱カバーの使用状態の側断面図
【図１８】第１の支柱カバーの変形例の側断面図
【図１９】第１の支柱カバーの変形例の側断面図
【発明を実施するための形態】
【００２８】
［第１実施形態］
以下、本発明の一実施形態を図１〜図１７に基づいて説明する。図１には、第１支柱カバー１１と第２支柱カバー４０とが示されている。これら第１支柱カバー１１及び第２支柱カバー４０は、何れか一方のみを本発明に係る「支柱カバー」として使用することが可能であると共に、図２に示すように両方を組み合わせたものを本発明に係る「支柱カバー」として使用することも可能である。なお、両方を組み合わせた場合、第２支柱カバー４０は本発明に係る「追加スリーブ」に相当する。また、第１支柱カバー１１及び第２支柱カバー４０は、共に樹脂の射出成形品である。
【００２９】
図３に示すように、第１支柱カバー１１は、スカート部１２から上方に円筒胴体部１３が延びた形状をなしている。スカート部１２は、略４５度のテーパー角で傾斜した円錐台形をなし、スカート部１２の上端部の外径Φ１はスカート部１２の高さＨの１．３〜１．５倍、下端部の外径Φ２は高さＨの３．０〜３．５倍、さらには、下端部の外径Φ２は上端部の外径Φ１の２．０〜２．５倍になっている。なお、スカート部１２の下端部からは、内側水平にフランジ部１２Ａが張り出している。
【００３０】
円筒胴体部１３は、第１支柱カバー１１と略同一の高さをなし、その上端寄り位置から下端寄り位置までの間は、均一径の円筒部１６になっている。そして、円筒胴体部１３のうち円筒部１６より上側には、上方に向かって徐々に縮径する上側テーパー部１５と、その上側テーパー部１５の上端部と同一径の上端ネック部１４とが備えられ、円筒部１６より下側には、下方に向かって徐々に縮径する下側テーパー部１７（本発明の「上向拡径部」に相当する）と、その下側テーパー部１７の下端部と同一径の下端ネック部１８とが備えられている。なお、上下のネック部１４，１８の内周面は、共に幅が一定（円筒胴体部１３の全高の略１／１０）の円筒状をなし、それらの内径は略同一になっている。また、上下のテーパー部１５，１７のテーパー角は、共に例えば略４５度になっている。
【００３１】
下端ネック部１８の内周面のうち１８０度の離れた２箇所には、連通溝１８Ｍが備えられている。連通溝１８Ｍは、内面が円弧状の丸溝であって（図４参照）、下端ネック部１８の内周面を上下方向に横切っている。なお、連通溝１８Ｍの裏側部分は、図１に示すように外側に膨出した円弧突部１８Ｋとなって、スカート部１２の外面上端から下側テーパー部１７の外面下端に跨がる範囲に形成されている。
【００３２】
図３に示すように、下側テーパー部１７には、各連通溝１８Ｍの両側にそれぞれ１対の通気孔１７Ａ，１７Ａが穿孔されている。各通気孔１７Ａは、下側テーパー部１７の上下方向の中間に位置し、横長の長方形になっている。また、通気孔１７Ａの内面は、次述する分割面１１Ａと直交するように形成されている（図４参照）。これにより、第１支柱カバー１１を成形するための金型の形状を簡単にすることができる。
【００３３】
図４に示すように、第１支柱カバー１１は、中心軸を含む垂直な平面である分割面１１Ａで縦割り分割されて１対の半筒状カバー体２０，２１に分離可能になっている。また、１対の半筒状カバー体２０，２１の周方向の両端部には、それらを合体した状態にロックするためにロックアーム２５、ロック係合リブ３５等からなるロック機構が備えられている。以下、各半筒状カバー体２０，２１の周方向の両端部において、何れか一方の半筒状カバー体にとって、他方の半筒状カバー体側を「前側」、その反対側を「後側」ということとして、１対の半筒状カバー体２０，２１のロック機構について説明する。
【００３４】
一方の半筒状カバー体２１の円筒胴体部１３における円筒部１６には、その半円弧状の外周面の両端から両端寄り位置までの間を凹ませて円筒胴体部１３の接線方向に延びる外向角溝部２３が形成されている。外向角溝部２３の縦幅は円筒部１６の上下方向の略全体に亘り、外向角溝部２３の底部は、分割面１１Ａと直交しかつ第１支柱カバー１１の中心軸と平行な平板部２４になっている。また、平板部２４の前端面２４Ａは、第１支柱カバー１１全体の分割面１１Ａと面一になっている。
【００３５】
平板部２４の前端面２４Ａからは、１対のロックアーム２５，２５が延設されている。１対のロックアーム２５，２５は、平板部２４より僅かに薄く、水平横方向に弾性変形する片持ち梁状をなし、平板部２４の上端部と下端部とに配置されている。また、各ロックアーム２５の前端部の外面からは、ロック突部２５Ａが突出している。図５（Ａ）に示すように、ロック突部２５Ａは、ロックアーム２５の前端から後端側に向かって外側に徐々に迫り出す傾斜面２５Ｂと、傾斜面２５Ｂの後端から後方に形成されて、分割面１１Ａと直交する平面状のトップ摺接面２５Ｄと、トップ摺接面２５Ｄの後端に直交した係止面２５Ｃとを有する。
【００３６】
図４に示すように、平板部２４の外面における上下方向の中央には、１対の側面リブ２６，２６が設けられている。１対の側面リブ２６，２６は、上下に間隔を空けて配置されて、平板部２４の前端から後端まで水平に延びている。また、各側面リブ２６は、その後端から前端に向かうに従って平板部２４からの張り出し量が徐々に大きくなっていて、その側面リブ２６の外面は、円筒胴体部１３の円筒部１６の外周面を延長した円弧面になっている。
【００３７】
１対の側面リブ２６，２６の前端部は、連絡壁２６Ａによって連絡され、その連絡壁２６Ａからガイドバー２７がロックアーム２５，２５と平行に延びている。ガイドバー２７は、外面に開放した溝開口を有する角溝構造をなしている。図５（Ａ）に示すように、ガイドバー２７の前端は、ロックアーム２５の前端より僅かに前方に位置している。また、図５（Ｂ）に示すように、ガイドバー２７の前端部は、前方に向かって徐々に細くなっている。
【００３８】
図４に示すように、他方の半筒状カバー体２０の円筒胴体部１３における円筒部１６には、その半円弧状の周面の両端から両端寄り位置までの間に内向角溝部３１が形成されている。内向角溝部３１は、円筒胴体部１３の内周面から陥没して外周面の接線方向に延びた角溝構造をなし、その内側は、本発明に係る「工具受容部」をなし、その先端開口は、本発明に係る「工具受容口」になっている。具体的には、内向角溝部３１の底部は、本発明に係るロック解除規制壁３２になっていて、分割面１１Ａと直交する平板状をなしている。また、ロック解除規制壁３２の前端面３２Ａは、円筒部１６を分割面１１Ａまで延長した場合の端面と一致するように配置されている。
【００３９】
図５（Ａ）に示すように、ロック解除規制壁３２の後端部からは、段差壁３１Ｚが内側に直角に曲げられている。段差壁３１Ｚは、円筒部１６の内部まで突入している。そして、段差壁３１Ｚにおける円筒部１６内の端部からロック解除規制壁３２と反対側に段差連絡壁３３が直角に曲げられて円筒部１６に連絡されている。また、図４に示すように、ロック解除規制壁３２及び段差連絡壁３３の上下の縁部と円筒胴体部１３との間の隙間は溝側壁３１Ｓ，３１Ｓによって閉塞され、それら溝側壁３１Ｓ，３１Ｓのうち段差壁３１Ｚより分割面１１Ａ側に位置する部分は、円筒胴体部１３の内側に張り出している。
【００４０】
ロック解除規制壁３２の内面における上下方向の中央には、ガイド筒部３４が備えられ、その内側が本発明に係るガイド挿入部３４Ａになっている。ガイド筒部３４は、水平方向に延びる角筒状をなし、その一端面はロック解除規制壁３２の前端面３２Ａと面一となって開口し、他端面は段差壁３１Ｚにて閉塞されている。また、ガイド筒部３４の開口内縁部は、内側に向かって徐々に狭くなるように傾斜している（図５（Ｂ）参照）。
【００４１】
図４に示すように、ロック解除規制壁３２の内面のうちガイド筒部３４と上下の溝側壁３１Ｓ，３１Ｓとの間には、それぞれ１対ずつのロック係合リブ３５，３５（本発明に係る「ロック係合部」に相当する）が備えられている。１対のロック係合リブ３５，３５は、ロック解除規制壁３２の前端面３２Ａから水平方向におけるロック解除規制壁３２の略中央位置まで水平に延び、上下方向において、ロックアーム２５の上縁部及び下縁部と同じ位置に配置されている。
【００４２】
図５（Ａ）に示すように、ロック係合リブ３５は、ロック解除規制壁３２の内面の前端寄り位置から急峻に立ち上がって後側に傾斜した導入斜面３５Ａと、導入斜面３５Ａの後端から後方に延び、導入斜面３５Ａより緩やかな角度で傾斜したガイド斜面３５Ｂと、ガイド斜面３５Ｂの後端からロック解除規制壁３２の内面と平行に延びたトップ摺接面３５Ｄと、トップ摺接面３５Ｄの後端から直角に曲がってロック解除規制壁３２の内面まで延びた係止面３５Ｃとを有する。なお、導入斜面３５Ａはガイド斜面３５Ｂに比べて極めて短くなっている。また、段差壁３１Ｚのうち係止面３５Ｃと対向する位置には、係止面３５Ｃを成形するための金型が通る貫通孔３１Ｗが形成されている。
【００４３】
図４に示すように、一方の半筒状カバー体２１の分割面１１Ａの内縁部からは、重ね合わせ突片２１Ｔが突出している。重ね合わせ突片２１Ｔは、半筒状カバー体２１のうち上端ネック部１４全体と上側テーパー部１５の上側一部と、スカート部１２のうち下端部を除した全体とに設けられている。これら重ね合わせ突片２１Ｔに対応させて、他方の半筒状カバー体２０には、内面の縁部を段付き状に陥没させて重ね合せ段差部２０Ｔが形成されている。そして、半筒状カバー体２０と半筒状カバー体２１とを合体させると、重ね合わせ突片２１Ｔが重ね合せ段差部２０Ｔに収まる。
【００４４】
第１支柱カバー１１の構造に関する説明は以上である。次に、第１支柱カバー１１の半筒状カバー体２０，２１の合体操作と分離操作について説明する。半筒状カバー体２０，２１を、分離状態から合体させるには、図４に示すように１対の半筒状カバー体２０，２１の分割面１１Ａ，１１Ａ同士を対向させて互いに接近させていく。すると、一方の半筒状カバー体２１の１対のガイドバー２７，２７の先端部が他方の半筒状カバー体２０のガイド挿入部３４Ａ，３４Ａに突入し、次いで各ロックアーム２５のロック突部２５Ａがそれぞれ対応する１対のロック係合リブ３５，３５に当接する。
【００４５】
半筒状カバー体２０，２１をさらに接近させると、ロック突部２５Ａが１対のロック係合リブ３５，３５に乗り上がってロックアーム２５が弾性変形していく。そして、１対の半筒状カバー体２０，２１の分割面１１Ａ，１１Ａ同士が重なり、重ね合わせ突片２１Ｔが重ね合せ段差部２０Ｔに収まったところで、図６に示すようにロック突部２５Ａがロック係合リブ３５，３５を通過してロックアーム２５が弾性復帰し、ロック突部２５Ａの係止面２５Ｃが１対のロック係合リブ３５，３５の係止面３５Ｃ，３５Ｃと対向する。このようにして各ロックアーム２５と１対のロック係合リブ３５，３５とが係合し、１対の半筒状カバー体２０，２１が合体状態にロックされる。
【００４６】
ロックアーム２５は、ロック係合リブ３５，３５に係合するとロック解除規制壁３２によって外側から覆われた状態になる。これにより、合体状態のロック解除操作を素手で容易に行うことが困難になる。これを容易に行うためには、図７に示した第１ロック解除工具９０が必要になる。この第１ロック解除工具９０は、板金で構成されていて、角溝構造の操作部９１を有する。その操作部９１の底壁９３における幅方向の中央には、長手方向の一端から中間位置に亘って干渉回避溝９４が形成されている。また、底壁９３の一端のうち干渉回避溝９４を間に挟んだ２位置からは、１対の押圧バー９２，９２が延設されている。
【００４７】
第１ロック解除工具９０は、第１支柱カバー１１の合体状態のロック解除のために以下のようにして使用される。即ち、図８に示すように、第１支柱カバー１１における一方の外向角溝部２３に第１ロック解除工具９０を側方から宛がい、操作部９１の干渉回避溝９４に側面リブ２６を受容させるようにして第１ロック解除工具９０をロック解除規制壁３２側にスライドさせていく。すると、干渉回避溝９４と側面リブ２６とのガイドにより、１対の押圧バー９２，９２の先端部が１対のロック係合リブ３５，３５（図４参照）の間に進入する。その後は、１対のロック係合リブ３５，３５をガイドにして押圧バー９２がロックアーム２５の幅方向の中央に沿って前方に移動していく。
【００４８】
やがて、図６に示すように、操作部９１がロック解除規制壁３２に突き当たる。そこで、操作部９１の後端部を平板部２４から離間させる側に移動する。すると、押圧バー９２，９２の基端部がロック解除規制壁３２の前端部に当接してそこが回動支点となって第１ロック解除工具９０が回動し、押圧バー９２，９２の先端部によって１対のロックアーム２５，２５が内側に押圧されて弾性変形し、ロック突部２５Ａ及びロック係合リブ３５の係止面２５Ｃ，３５Ｃ同士が対向しない状態になる。この状態でさらに第１ロック解除工具９０を回動させると、押圧バー９２，９２の先端部がロックアーム２５，２５に食い込んだ状態でそれらロックアーム２５，２５を後方に引くことになる。これにより、１対のロックアーム２５，２５によるロックが一度に解除される。次いで、第１支柱カバー１１における他方の外向角溝部２３に第１ロック解除工具９０を側方から宛がい、同様の操作を行って残りの１対のロックアーム２５，２５に係るロックも解除すれば、第１支柱カバー１１を１対の半筒状カバー体２０，２１に分解することができる。
【００４９】
以上が、第１支柱カバー１１の構造とロック及びロック解除操作の説明である。次に、第２支柱カバー４０の構造について説明する。
【００５０】
図１に示すように、第２支柱カバー４０は、全体が円筒状をなし、上下の中央を横切る水平面に対してその上下が面対称な形状をなしている。また、第２支柱カバー４０は、図３に示すように、上下の端部のみが段付き状に僅かに拡径された拡径部４１，４１をなし、それら以外の全体が第１支柱カバー１１の上端ネック部１４の内径と略同一の均一内径となっている。そして、図１７に示すように第１支柱カバー１１の上端ネック部１４の外側に第２支柱カバー４０の下端部の拡径部４１を嵌合して、第１支柱カバー１１上に第２支柱カバー４０を積み上げることができる。また、図１に示すように、第２支柱カバー４０の外周面には、上端寄り位置から下端寄り位置までの間を僅かに陥没させてシール貼付部４２が備えられ、そこに図示しない反射シールや広告用シール等が貼り付けられるようになっている。
【００５１】
図９に示すように、第２支柱カバー４０も第１支柱カバー１１と同様に、中心軸を含む分割面４０Ａで１対の半筒状カバー体５０，５１に縦割り分割され、ロック機構により１対の半筒状カバー体５０，５１が合体した状態にロックされる。以下、第１支柱カバー１１の場合と同様に、各半筒状カバー体５０，５１の周方向の両端部において、何れか一方の半筒状カバー体にとって、他方の半筒状カバー体側を「前側」、その反対側を「後側」ということとして、１対の半筒状カバー体５０，５１のロック機構について説明する。
【００５２】
一方の半筒状カバー体５１の周方向の両端の分割面４０Ａ，４０Ａにおける上端部及び下端部からは、それぞれロックアーム４３が前方に延びている。各ロックアーム４３は、水平横方向に弾性変形可能になっていて、その前端部外面にはロック突部４３Ａが備えられている。ロック突部４３Ａは、ロックアーム４３の前端から後端側に向かって外側に徐々に迫り出す傾斜面４３Ｂと、傾斜面４３Ｂの後側に設けられて分割面４０Ａと平行になった係止面４３Ｃとを有する。
【００５３】
一方の半筒状カバー体５１のうち各ロックアーム４３の上側と下側とには、それぞれ半筒状カバー体５１の分割面４０Ａからロックアーム４３に沿って切れ込んだスリット４３Ｓ，４３Ｓが形成されている。そして、上側のロックアーム４３に対してスリット４３Ｓを介して下側から隣合わせとなる位置と、下側のロックアーム４３に対してスリット４３Ｓを介して上側から隣合わせとなる位置とには、それぞれガイドフード４４が形成されている。ガイドフード４４は、第２支柱カバー４０の内側に開放した溝開口を有する角溝構造をなし、その内側は、本発明に係るガイド挿入部４４Ａになっている。ガイドフード４４は、スリット４３Ｓの後端位置から分割面４０Ａの前方位置まで突出し、その突出量はロックアーム４３よりは小さくなっている。さらには、ガイドフード４４は、半筒状カバー体５１の外面より外側に膨出していて、後部は徐々に膨出量が小さくなるように傾斜している。
【００５４】
他方の半筒状カバー体５０の上下の両端部には、ロックフード５２，５２が設けられている。ロックフード５２は、ガイドフード４４と同様に第２支柱カバー４０の内側に開放した溝開口を有する角溝構造をなし、半筒状カバー体５０の外面より外側に膨出している。また、ロックフード５２は、半筒状カバー体５０における分割面４０Ａ寄り位置から分割面４０Ａの前方位置まで延び、ガイドフード４４より上下左右に大きくなっている。そして、ロックフード５２の内側が、本発明に係る「工具受容部」をなし、その先端開口と後述する工具挿入スリット５５とが、本発明に係る「工具受容口」になっている。
【００５５】
ロックフード５２のうち半筒状カバー体５０の径方向を向いた壁部は、本発明に係るロック解除規制壁５３になっている。そのロック解除規制壁５３は、ロックフード５２の前端から後端寄り位置までロックアーム４３と平行に延び、そこから内側に僅かに屈曲している。また、ロック解除規制壁５３の上下方向の中央には、前述の屈曲部分の近傍から後側に延びた工具挿入スリット５５が備えられている。
【００５６】
ロック解除規制壁５３の内面のうち上下方向の中央には、ロック係合リブ５６が形成されている。図１１（Ａ）に示すように、ロック係合リブ５６は、分割面４０Ａと直交する方向に延び、ロック解除規制壁５３の前端寄り位置から後端側に向かうに従ってロック解除規制壁５３の内面から離れるように傾斜したガイド斜面５６Ａと、ガイド斜面５６Ａの後端からロック解除規制壁５３の内面と平行に延びるトップ摺接面５６Ｂと、トップ摺接面５６Ｂの後端から直角に折れ曲がってロック解除規制壁５３の内面のうち工具挿入スリット５５に対する手前位置に直交した係止面５６Ｃとを有する。また、前述の工具挿入スリット５５は、係止面５６Ｃを成形するための金型の抜き孔の役割を果たしている。
【００５７】
図９に示すように、半筒状カバー体５０のうち上側のロックフード５２の下側と、上側のロックフード５２の上側とには、それぞれ支持片４６，４６が備えられている。支持片４６は、分割面４０Ａより僅かに後方に位置して、半筒状カバー体５０の外面とロックフード５２の側面とに直交している。そして、各支持片４６から前方にガイドバー４７が突出している。ガイドバー４７は、外側に開放した溝開口を有する角溝構造なし、前端部が先細り形状をなしている（図１１（Ｂ）参照）。なお、図９に示すように、ガイドバー４７とロックフード５２との間、及び、ガイドバー４７と半筒状カバー体５０の壁部との間には、スリット４７Ｓがそれぞれ形成されている。
【００５８】
第２支柱カバー４０の構造に関する説明は以上である。次に、第２支柱カバー４０の半筒状カバー体５０，５１の合体操作と分離操作について説明する。半筒状カバー体５０，５１を、分離状態から合体させるには、図９に示すように１対の半筒状カバー体５０，５１の分割面５０Ａ，５０Ａ同士を対向させて互いに接近させていく。すると、一方の半筒状カバー体５０の１対のガイドバー４７，４７の先端部が他方の半筒状カバー体５１のガイド挿入部４４Ａ，４４Ａに突入し、次いで各ロックアーム４３のロック突部４３Ａがそれぞれ対応するロック係合リブ５６に当接する。
【００５９】
半筒状カバー体５０，５１をさらに接近させると、ロック突部４３Ａがロック係合リブ５６に乗り上がってロックアーム４３が弾性変形していく。そして、１対の半筒状カバー体５０，５１の分割面５０Ａ，５０Ａ同士が重なったところで、図１２に示すようにロック突部４３Ａがロック係合リブ５６を通過してロックアーム４３が弾性復帰し、ロック突部４３Ａの係止面４３Ｃがロック係合リブ５６の係止面５６Ｃと対向する。このようにして各ロックアーム４３とロック係合リブ５６とが係合し、１対の半筒状カバー体５０，５１が合体状態にロックされる。
【００６０】
ロックアーム４３は、ロック係合リブ５６に係合するとロック解除規制壁５３によって外側から覆われた状態になる。これにより、合体状態のロック解除操作を素手で容易に行うことが困難になる。これを容易に行うためには、図１３に示した第２ロック解除工具９５が必要になる。この第２ロック解除工具９５は、板金で構成されていて、角溝構造の操作部９６を有する。その操作部９６における１対の溝壁９６Ｂ，９６Ｂから一方向に１対のロック解除アーム９７，９７が延設されている。各ロック解除アーム９７のうち操作部９６の溝底壁９６Ａと反対側の側縁部には、ロック解除アーム９７の先端部にフック形突部９８が備えられると共に基端寄り位置に押圧突片９９が備えられている。フック形突部９８は、先端がロック解除アーム９７の基端側に折り返された形状をなしている。一方、押圧突片９９は、台形状をなし、フック形突部９８側にロック解除アーム９７の長手方向に直交する直線部を有している。
【００６１】
図１４に示すように、第２ロック解除工具９５は、第２支柱カバー４０の合体状態のロック解除のために以下のようにして使用される。即ち、図１４に示すように、第２ロック解除工具９５を第２支柱カバー４０の一側部に宛い、１対のフック形突部９８，９８の先端部をロックフード５２，５２の先端の開口に差し込み、押圧突片９９，９９を工具挿入スリット５５，５５に突入させる。すると、図１２に示すように、各押圧突片９９がロックアーム４３のロック突部４３Ａに突き合わされた状態になる。この状態で、操作部９６を第２支柱カバー４０に接近させる側に移動すると、フック形突部９８，９８を回動支点として第２ロック解除工具９５が回動する。そして、ロック突部４３Ａが押圧突片９９によって内側に押圧されてロックアーム４３が弾性変形し、ロック突部４３Ａ及びロック係合リブ５６の係止面４３Ｃ，５６Ｃ同士が対向しない状態になる。
【００６２】
この状態で、例えば、ガイドフード４４等に指を掛けて第２ロック解除工具９５と反対側に引けば、１対のロックアーム４３，４３によるロックが一度に解除される。次いで、第２支柱カバー４０の残りのロックアーム４３に係るロックも解除すれば、第２支柱カバー４０を１対の半筒状カバー体５０，５１に分解することができる。
【００６３】
以上が第２支柱カバー４０の構造とロック及びロック解除操作の説明である。次に、第１と第２の支柱カバー１１，４０の作用効果について説明する。
【００６４】
図１５には、本実施形態の第１支柱カバー１１をガードレール８０の支柱８１に取り付けた一例が示されている。このように、第１支柱カバー１１を支柱８１に取り付けるには、両方の半筒状カバー体２０，２１を分解した状態にして、それらの間に支柱８１を配置し、前述の如く半筒状カバー体２０，２１同士の互いに近づける。すると、その過程でロックアーム２５が弾性変形した後、弾性復帰してロック係合リブ３５に係合し、半筒状カバー体２０，２１同士が合体状態にロックされる。このように第１支柱カバー１１は、容易に支柱８１に装着することができる（図１５参照）。そして、第１支柱カバー１１が合体状態になると、図６に示すようにロック解除規制壁３２が、ロックアーム２５を外側から覆い、ロックアーム２５に対するロック解除操作を規制するので、悪戯により第１支柱カバー１１が支柱８１から取り外されることを防ぐことができる。しかも、第１支柱カバー１１は、ロックアーム２５が上下に複数並べられているので、特殊な形状の第１ロック解除工具９０（図７）を有しない限りロック解除が極めて困難となる一方、第１ロック解除工具９０があれば、支柱から容易に外すことができる。つまり、特殊な第１ロック解除工具９０を有しない部外者による第１支柱カバー１１の取り外しを確実に防ぐことができる。
【００６５】
また、第２支柱カバー４０も、第１支柱カバー１１と同様にしてガードレール８０の支柱８１に装着され（図１６参照）、悪戯により第２支柱カバー４０が支柱８１から取り外されることを防ぐことができる。そして、第１支柱カバー１１に第２支柱カバー４０を上乗せすることで、支柱８１のうち支柱カバーにて覆われる部分を適宜、増やすことができる。
【００６６】
第１支柱カバー１１が支柱８１に取り付けられると、第１支柱カバー１１のスカート部１２により支柱８１の周囲の地面に対する日光が遮蔽される。これにより、支柱８１の周囲に雑草が生えることを防ぐことができる。
【００６７】
ここで、スカート部１２から上方には、円筒胴体部１３が延び、その円筒胴体部１３に通気孔１７Ａが形成されている。そして、通気孔１７Ａは、その通気孔１７Ａを通して外部からスカート部１２内を視認不能となる位置に配置されている（図１７参照）。これにより、通気孔１７Ａからスカート部１２内へと直接、光が差し込むことを防ぐことができる。詳細には、円筒胴体部１３の下端部に下端ネック部１８が備えられて、その下端ネック部１８を横切る連通溝１８Ｍによってスカート部１２内と円筒胴体部１３内とが確実に連通した状態になる。そして、下端ネック部１８から上方に向かって徐々に拡径する下側テーパー部１７のうち連通溝１８Ｍに対して周方向でずれた位置に複数の通気孔１７Ａが形成されている。これにより、通気孔１７Ａ及び円筒胴体部１３の上端部からスカート部１２内へと犬の尿の浸入を規制しかつ、直接、光が差し込むことを防ぐことができると共に、通気孔１７Ａを通してスカート部１２内の湿気を外部に排出して、支柱８１の腐食を防ぐことができる。即ち、本実施形態の第１支柱８１カバー１１によれば、除草のための遮光性と腐食防止のための通気性の両方を確保することができる。
【００６８】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６９】
（１）前記実施形態の第１支柱カバー１１のスカート部１２は円錐形であったが、円筒状や角筒状のスカート部を備えていてもよい。
【００７０】
（２）前記実施形態の第１支柱カバー１１では、一方の半筒状カバー体２１の左右両端部にロックアーム２５が配置され、他方の半筒状カバー体２０の左右両端部に本発明のロック係合部に相当するロック係合リブ３５が備えられていたが、半筒状カバー体の左右の一端にロックアームを配置すると共に他端にロック係合部を配置し、他方の半筒状カバー体を一方の半筒状カバー体と点対称な構造にしてもよい。
【００７１】
（３）さらには、１対の半筒状カバー体の互いに接合される一端部同士をヒンジ連結し、他端部同士がロックアームとロック係合部にて係合する構造にしてもよい。また、ヒンジ連結部分は、分離可能であってもよいし、分離不能であってもよい。
【００７２】
（４）前記実施形態では、ガードレール８０の支柱８１に第１支柱カバー１１及び第２支柱カバー４０が取り付けられていたが、例えば、道路標識や看板の支柱に第１支柱カバー１１及び第２支柱カバー４０を取り付けてもよい。
【００７３】
（５）前記実施形態では、第１支柱カバー１１の下側テーパー部１７に通気孔１７Ａが穿孔されていたが、通気孔は下側テーパー部１７より上側部分に穿孔されていてもよい。具体的には、図１８に示すように、円筒部１６に通気孔１６Ａを穿孔してもよい。この場合、円筒部１６の内面から突出するリブ１７Ｂを円筒部１６Ａの下方に配置してスカート部１２内への光の進入を確実に防止する構造としてもよい。また、図１９に示すように円筒部１６の一部を外側に膨出させて側面膨出部１６Ｃを形成し、その側面膨出部１６Ｃの下面を開放して側面膨出部１６Ｃ内を通気孔１６Ｄとしてもよい。
【００７４】
（６）前記第１及び第２の支柱カバー１１，４０を構成する樹脂に例えばガラスや金属粉等の反射体をコンパウンドすることで、第１及び第２の支柱カバー１１，４０が夜間に車両のヘッドライトの光を反射する構成としてもよい。
【００７５】
（７）前記第１及び第２の支柱カバー１１，４０を、黒色の樹脂で構成すれば、リサイクル樹脂を使用することが容易になりかつ遮光性が高まり、さらには、日光を受けてスカート部１２内を高温にして、その内部の植物を死滅させることができるという効果を奏する。
【符号の説明】
【００７６】
１１    第１支柱カバー
１１Ａ，４０Ａ    分割面
１２    スカート部
１３    円筒胴体部
１４    上端ネック部
１７    下側テーパー部（上向拡径部）
１７Ａ  通気孔
１８    下端ネック部
１８Ｍ  連通溝
２０，２１，５０，５１  半筒状カバー体
２５，４３    ロックアーム
２５Ａ，４３Ａ    ロック突部
２７，４７    ガイドバー
３２，５３    ロック解除規制壁
３４Ａ，４４Ａ    ガイド挿入部
３５，５６    ロック係合リブ（ロック係合部）
４０    第２支柱カバー
５５    工具挿入スリット（工具受容口）
８１    支柱
【図１】
2018028197.tif 000003
【図２】
2018028197.tif 000004
【図３】
2018028197.tif 000005
【図４】
2018028197.tif 000006
【図５】
2018028197.tif 000007
【図６】
2018028197.tif 000008
【図７】
2018028197.tif 000009
【図８】
2018028197.tif 000010
【図９】
2018028197.tif 000011
【図１０】
2018028197.tif 000012
【図１１】
2018028197.tif 000013
【図１２】
2018028197.tif 000014
【図１３】
2018028197.tif 000015
【図１４】
2018028197.tif 000016
【図１５】
2018028197.tif 000017
【図１６】
2018028197.tif 000018
【図１７】
2018028197.tif 000019
【図１８】
2018028197.tif 000020
【図１９】
2018028197.tif 000021
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
１対の半筒状カバー体に分割可能な筒形構造をなして、支柱に側方から装着可能な支柱カバーにおいて、
一方の前記半筒状カバー体に設けられたロック係合部と、
他方の前記半筒状カバー体に設けられ、前記半筒状カバー体同士を合体する過程で弾性変形した後、弾性復帰して前記ロック係合部に係合し、前記半筒状カバー体同士を合体状態にロックするロックアームと、
一方又は他方の前記半筒状カバー体に設けられて前記ロックアームを外側から覆い、前記ロックアームに対するロック解除操作を規制するロック解除規制壁とを備える支柱カバー。
【請求項２】
前記ロック解除規制壁の内側に設けられて、前記半筒状カバー体同士の合体方向又は上方又は下方に開口する工具受容口を有するか、又は、前記ロック解除規制壁に穿孔されて前記ロック解除規制壁の外面に開口する工具受容口を有し、前記ロック解除操作を行うための工具の挿入を許容する工具受容部を備える請求項１に記載の支柱カバー。
【請求項３】
前記ロックアームは、上下に複数並べられている請求項２に記載の支柱カバー。
【請求項４】
前記ロックアームは、前記他方の半筒状カバー体から前記一方の半筒状カバー体に向かって延びかつその先端部から外側に突出するロック突部を有し、
前記ロック解除規制壁は、前記一方の半筒状カバー体に設けられ、そのロック解除規制壁の内面に前記ロック係合部が形成されている請求項２又は３に記載の支柱カバー。
【請求項５】
前記ロック係合部は、前記ロックアームの長手方向に延び、前記ロックアームの幅方向の２箇所に摺接して前記ロックアームを弾性変形させかつ、端部が前記ロック突部と係合する１対の摺接リブで構成され、
前記１対の摺接リブと前記ロック解除規制壁と前記ロックアームとに囲まれた部位が、前記ロックアームの基端側に開口する前記工具受容口を有する前記工具受容部になっている請求項４に記載の支柱カバー。
【請求項６】
前記一方の半筒状カバー体から前記他方の半筒状カバー体に向かって延びるガイドバーと、
前記他方の半筒状カバー体に設けられ、前記ガイドバーが挿入されるガイド挿入部とが備えられている請求項１乃至５のいずれか１の請求項に記載の支柱カバー。
【請求項７】
下端部の外径が上端部の外径より大きい下面開放の筒状をなし、前記支柱の周囲の地面に対する日光を遮蔽するスカート部と、
前記スカート部から上方に延び、前記スカート部の下端部より外径が小さい略円筒状の円筒胴体部と、
前記円筒胴体部の上端部の内径を絞ってなる上端ネック部と、
前記円筒胴体部に穿孔された通気孔とを備えた請求項１乃至６のいずれか１の請求項に記載の支柱カバー。
【請求項８】
前記円筒胴体部の下端部の内径を絞ってなる下端ネック部と、
前記下端ネック部のうち周方向で前記通気孔からずれた位置に形成され、前記下端ネック部の内周面の一部を上下に横切る連通溝とを備える請求項７に記載の支柱カバー。
【請求項９】
前記円筒胴体部には、前記下端ネック部から上方に向かって徐々に拡径する上向拡径部が備えられ、前記通気孔は、前記上向拡径部を水平に貫通している請求項８に記載の支柱カバー。
【請求項１０】
前記支柱の外側に嵌合され、前記円筒胴体部に上方から重ねられる追加スリーブが備えられ、
前記追加スリーブは、前記１対の半筒状カバー体に分割可能であると共に、前記ロック係合部と前記ロックアームと前記ロック解除規制壁とを備える請求項７乃至９の何れか１の請求項に記載の支柱カバー。
【請求項１１】
前記追加スリーブの下端部が、前記円筒胴体部の外側に嵌合される請求項１０に記載の支柱カバー。
【手続補正２】
【補正対象書類名】明細書
【補正対象項目名】００１５
【補正方法】変更
【補正の内容】
【００１５】
請求項１０の発明は、前記支柱の外側に嵌合され、前記円筒胴体部に上方から重ねられる追加スリーブが備えられ、前記追加スリーブは、１対の半筒状カバー体に分割可能であると共に、前記ロック係合部と前記ロックアームと前記ロック解除規制壁とを備える請求項７乃至９の何れか１の請求項に記載の支柱カバーである。
【手続補正３】
【補正対象書類名】明細書
【補正対象項目名】００６７
【補正方法】変更
【補正の内容】
【００６７】
ここで、スカート部１２から上方には、円筒胴体部１３が延び、その円筒胴体部１３に通気孔１７Ａが形成されている。そして、通気孔１７Ａは、その通気孔１７Ａを通して外部からスカート部１２内を視認不能となる位置に配置されている（図１７参照）。これにより、通気孔１７Ａからスカート部１２内へと直接、光が差し込むことを防ぐことができる。詳細には、円筒胴体部１３の下端部に下端ネック部１８が備えられて、その下端ネック部１８を横切る連通溝１８Ｍによってスカート部１２内と円筒胴体部１３内とが確実に連通した状態になる。そして、下端ネック部１８から上方に向かって徐々に拡径する下側テーパー部１７のうち連通溝１８Ｍに対して周方向でずれた位置に複数の通気孔１７Ａが形成されている。これにより、通気孔１７Ａ及び円筒胴体部１３の上端部からスカート部１２内へと犬の尿の浸入を規制しかつ、直接、光が差し込むことを防ぐことができると共に、通気孔１７Ａを通してスカート部１２内の湿気を外部に排出して、支柱８１の腐食を防ぐことができる。即ち、本実施形態の第１支柱カバー１１によれば、除草のための遮光性と腐食防止のための通気性の両方を確保することができる。